【手続補正書】
【提出日】平成15年11月10日(2003.11.10)
【手続補正１】
【補正対象書類名】明細書
【補正対象項目名】発明の名称
【補正方法】変更
【補正の内容】
【発明の名称】表示装置及びアクティブマトリクス基板


【手続補正２】
【補正対象書類名】明細書
【補正対象項目名】特許請求の範囲
【補正方法】変更
【補正の内容】
【特許請求の範囲】
【請求項１】
複数の走査線と、
前記複数の走査線と交差する方向に設けられた複数のデータ線と、
複数の共通給電線と、
前記複数のデータ線と前記複数の走査線とによりマトリクス状に形成された複数の画素と、を有し、
前記複数の画素の各々は、
層間絶縁膜上に形成された画素電極と、
前記画素電極に対向する対向電極との間に流れる駆動電流によって発光する発光素子と、を備え、
前記発光素子は有機半導体膜を含み、
前記有機半導体膜は絶縁膜からなるバンク層で囲まれており、
前記複数のデータ線は、前記層間絶縁膜により覆われており、
前記複数のデータ線のうち、前記複数の画素の各々に対応するデータ線の少なくとも１部は前記バンク層により覆われていること、
を特徴とする表示装置。
【請求項２】
請求項１に記載の表示装置において、
さらに前記複数のデータ線に対して画像信号を出力する第１の駆動回路と、
前記複数の走査線に対して走査信号を出力する第２の駆動回路と、を備え、
前記第１の駆動回路及び前記第２の駆動回路のうち少なくともいずれかは、前記バンク層によって覆われていること、
を特徴とする表示装置。
【請求項３】
請求項１または２に記載の表示装置において、
前記複数の画素の各々は、
ゲート電極を備え、前記複数の走査線のうち対応する走査線を介して走査信号が前記ゲート電極に供給される第１のトランジスタと、
前記複数のデータ線のうち対応するデータ線及び前記第１のトランジスタを介して供給される画像信号に応じて、前記複数の共通給電線のうち対応する共通給電線と前記画素電極との電気的な接続の制御を行う第２のトランジスタと、を備えていること、
を特徴とする表示装置。
【請求項４】
請求項３に記載の表示装置において、
前記第２のトランジスタの一部と前記画素電極とは重なっていること、
を特徴とする表示装置。
【請求項５】
請求項３または４に記載の表示装置において、
前記第１のトランジスタは前記バンク層により覆われていること、
を特徴とする表示装置。
【請求項６】
請求項３乃至５のいずれかに記載の表示装置において、
前記第２のトランジスタと前記画素電極とは中継電極を介して接続されており、
前記中継電極は前記バンク層により覆われていること、
を特徴とする表示装置。
【請求項７】
請求項１乃至６のいずれかに記載の表示装置において、
前記有機半導体膜は、インクジェット法により形成された膜であり、
前記バンク層は、撥水性を有する膜であること、
を特徴とする表示装置。
【請求項８】
請求項１乃至７のいずれかに記載の表示装置において、
前記バンク層は、膜厚が１μｍ以上であること、
を特徴とする表示装置。
【請求項９】
請求項１乃至８のいずれかに記載の表示装置において、
前記バンク層は黒色のレジスト膜から構成されていること、
を特徴とする表示装置。
【請求項１０】
請求項１乃至９のいずれかに記載の表示装置において、
前記複数の共通給電線の各々の単位長さ当たりの抵抗値は、前記複数のデータ線の対応するデータ線の単位長さ当たりの抵抗値よりも小さいこと、
を特徴とする表示装置。
【請求項９】
請求項１乃至１０のいずれかに記載の表示装置において、
前記複数の共通給電線の各々の線幅は、前記複数のデータ線の対応するデータ線の線幅よりも大であること、
を特徴とする表示装置。
【請求項１０】
複数の走査線と、
前記複数の走査線と交差する方向に設けられた複数のデータ線と、
複数の共通給電線と、
前記複数のデータ線と前記複数の走査線との交差部に対応して層間絶縁膜上に形成された複数の画素電極と、を備え、
前記複数の画素電極の各々の周囲には絶縁膜からなるバンク層が設けられており、
前記複数のデータ線は、前記層間絶縁膜により覆われており、
前記複数のデータ線の各々の少なくとも１部は前記バンク層により覆われていること、
を特徴とするアクティブマトリクス基板。
【請求項１１】
複数の走査線と、
前記複数の走査線と交差する方向に設けられた複数のデータ線と、
複数の共通給電線と、
前記複数のデータ線と前記複数の走査線との交差部に対応して層間絶縁膜上に形成された複数の画素電極と、を含み、
前記複数の画素電極の各々に対応して
前記複数の走査線のうち対応する走査線にゲート電極が接続された第１のトランジスタと、
前記複数の共通給電線のうち対応する共通給電線にソースまたはドレインが接続された第２のトランジスタと、を備え、
前記複数のデータ線の各々の少なくとも１部は前記バンク層により覆われており、
前記第２のトランジスタの少なくとも１部は前記バンク層により覆われていること、
を特徴とするアクティブマトリクス基板。
【請求項１２】
請求項１１に記載のアクティブマトリクス基板において、
前記第１のトランジスタの少なくとも１部は前記バンク層により覆われていること、
を特徴とするアクティブマトリクス基板。
【請求項１３】
請求項１０乃至１２のいずれかに記載のアクティブマトリクス基板と、
前記複数の画素電極の各々に対応して有機半導体膜が設けられたこと、
を特徴とする表示装置。
【手続補正３】
【補正対象書類名】明細書
【補正対象項目名】０００９
【補正方法】変更
【補正の内容】
【０００９】
【課題を解決するための手段】
本発明の第１の表示装置は、複数の走査線と、前記複数の走査線と交差する方向に設けられた複数のデータ線と、複数の共通給電線と、前記複数のデータ線と前記複数の走査線とによりマトリクス状に形成された複数の画素と、を有し、前記複数の画素の各々は、層間絶縁膜上に形成された画素電極と、前記画素電極に対向する対向電極との間に流れる駆動電流によって発光する発光素子と、を備え、前記発光素子は有機半導体膜を含み、前記有機半導体膜は絶縁膜からなるバンク層で囲まれており、前記複数のデータ線は、前記層間絶縁膜により覆われており、前記複数のデータ線のうち、前記複数の画素の各々に対応するデータ線の少なくとも１部は前記バンク層により覆われていることを特徴とする。


【手続補正４】
【補正対象書類名】明細書
【補正対象項目名】００１０
【補正方法】変更
【補正の内容】
【００１０】
上記の表示装置において、さらに前記複数のデータ線に対して画像信号を出力する第１の駆動回路と、前記複数の走査線に対して走査信号を出力する第２の駆動回路と、を備え、前記第１の駆動回路及び前記第２の駆動回路のうち少なくともいずれかは、前記バンク層によって覆われていてもよい。


【手続補正５】
【補正対象書類名】明細書
【補正対象項目名】００１１
【補正方法】変更
【補正の内容】
【００１１】
上記の表示装置において、前記複数の画素の各々は、ゲート電極を備え、前記複数の走査線のうち対応する走査線を介して走査信号が前記ゲート電極に供給される第１のトランジスタと、前記複数のデータ線のうち対応するデータ線及び前記第１のトランジスタを介して供給される画像信号に応じて、前記複数の共通給電線のうち対応する共通給電線と前記画素電極との電気的な接続の制御を行う第２のトランジスタと、を備えていることが好ましい。


【手続補正６】
【補正対象書類名】明細書
【補正対象項目名】００１２
【補正方法】変更
【補正の内容】
【００１２】
上記の表示装置において、前記第２のトランジスタの一部と前記画素電極とは重なっていることが好ましい。


【手続補正７】
【補正対象書類名】明細書
【補正対象項目名】００１３
【補正方法】変更
【補正の内容】
【００１３】
上記の表示装置において、前記第１のトランジスタは前記バンク層により覆われていることが好ましい。


【手続補正８】
【補正対象書類名】明細書
【補正対象項目名】００１４
【補正方法】変更
【補正の内容】
【００１４】
上記の表示装置において、前記第２のトランジスタと前記画素電極とは中継電極を介して接続されており、前記中継電極は前記バンク層により覆われていることが好ましい。


【手続補正９】
【補正対象書類名】明細書
【補正対象項目名】００１５
【補正方法】変更
【補正の内容】
【００１５】
上記の表示装置において、前記有機半導体膜は、インクジェット法により形成された膜であり、前記バンク層は、撥水性を有する膜であることが好ましい。


【手続補正１０】
【補正対象書類名】明細書
【補正対象項目名】００１６
【補正方法】変更
【補正の内容】
【００１６】
上記の表示装置において、前記バンク層は、膜厚が１μｍ以上であることが好ましい。


【手続補正１１】
【補正対象書類名】明細書
【補正対象項目名】００１７
【補正方法】変更
【補正の内容】
【００１７】
上記の表示装置において、前記バンク層は黒色のレジスト膜から構成されていることが好ましい。
上記の表示装置において、前記複数の共通給電線の各々の単位長さ当たりの抵抗値は、前記複数のデータ線の対応するデータ線の単位長さ当たりの抵抗値よりも小さいことが好ましい。
上記の表示装置において、前記複数の共通給電線の各々の線幅は、前記複数のデータ線の対応するデータ線の線幅よりも大であることが好ましい。


【手続補正１２】
【補正対象書類名】明細書
【補正対象項目名】００１８
【補正方法】変更
【補正の内容】
【００１８】
本発明の第１のアクティブマトリクス基板は、複数の走査線と、前記複数の走査線と交差する方向に設けられた複数のデータ線と、複数の共通給電線と、前記複数のデータ線と前記複数の走査線との交差部に対応して層間絶縁膜上に形成された複数の画素電極と、を備え、前記複数の画素電極の各々の周囲には絶縁膜からなるバンク層が設けられており、前記複数のデータ線は、前記層間絶縁膜により覆われており、前記複数のデータ線の各々の少なくとも１部は前記バンク層により覆われていること、を特徴とする。
本発明の第２のアクティブマトリクス基板は、複数の走査線と、前記複数の走査線と交差する方向に設けられた複数のデータ線と、複数の共通給電線と、前記複数のデータ線と前記複数の走査線との交差部に対応して層間絶縁膜上に形成された複数の画素電極と、を含み、前記複数の画素電極の各々に対応して前記複数の走査線のうち対応する走査線にゲート電極が接続された第１のトランジスタと、前記複数の共通給電線のうち対応する共通給電線にソースまたはドレインが接続された第２のトランジスタと、を備え、前記複数のデータ線の各々の少なくとも１部は前記バンク層により覆われており、前記第２のトランジスタの少なくとも１部は前記バンク層により覆われていること、を特徴とする。
上記のアクティブマトリクス基板において、前記第１のトランジスタの少なくとも１部は前記バンク層により覆われていることが好ましい。
本発明の第２の表示装置は、上記のアクティブマトリクス基板と、前記複数の画素電極の各々に対応して有機半導体膜が設けられたこと、特徴とする。